(57)【特許請求の範囲】
【請求項１】
複数の移動通信システムによって提供される移動通信サービスが移動端末によって利用される共用移動通信システムにおいて、
前記各移動通信システムは、
移動端末の接続先である自移動通信システムが提供する移動通信サービスを利用している前記移動端末に対して、レベル測定用チャネル情報を通知するレベル測定用チャネル情報通知手段と、
前記自移動通信システムにおいて利用可能な通信チャネルがない場合に、前記移動端末から通知されるレベル測定用チャネルの受信レベルのうち、他の移動通信システムからのレベル測定用チャネルの受信レベルを該他の移動通信システムへ通知する受信レベル通知手段と
を備え、
前記他の移動通信システムは、前記自移動通信システムから通知される当該他の移動通信システムのレベル測定用チャネルの受信レベルに基づいて、通信チャネルが空いているか否かを判定し、前記移動端末に対して通信チャネルを割り当てる通信チャネル割当手段
を備え、
前記移動端末は、
前記自移動通信システムから通知される前記レベル測定用チャネル情報に基づいて、前記自移動通信システム及び前記他の移動通信システムからのレベル測定用チャネルの受信レベルを測定する受信レベル測定手段と、
前記受信レベル測定手段により測定された受信レベルを、前記自移動通信システムへ通知する測定結果通知手段と
を備える共用移動通信システム。
【請求項２】
請求項１記載の共用移動通信システムにおいて、
前記各移動通信システムは、
前記他の移動通信システムによって構成されるセルのうち、前記自移動通信システムが提供する移動通信サービスを利用している移動端末の位置又はその周辺を領域内に含むセルに対応するレベル測定用チャネルを把握するレベル測定用受信チャネル把握手段
を備え、
前記レベル測定用チャネル情報通知手段は、前記把握されたレベル測定用チャネルに関する情報をレベル測定用チャネル情報に包含して通知するようにした共用移動通信システム。
【請求項３】
複数の移動通信システムによって提供される移動通信サービスが移動端末によって利用される共用移動通信システムにおける受信レベル測定方法において、
前記各移動通信システムは、
移動端末の接続先である自移動通信システムが提供する移動通信サービスを利用している前記移動端末に対して、レベル測定用チャネル情報を通知し、
前記自移動通信システムにおいて利用可能な通信チャネルがない場合に、前記移動端末から通知されるレベル測定用チャネルの受信レベルのうち、他の移動通信システムからのレベル測定用チャネルの受信レベルを該他の移動通信システムへ通知し、
前記他の移動通信システムは、
前記自移動通信システムから通知される当該他の移動通信システムのレベル測定用チャネルの受信レベルに基づいて、通信チャネルが空いているか否かを判定し、前記移動端末に対して通信チャネルを割り当て、
前記移動端末は、
前記自移動通信システムからの前記レベル測定用チャネル情報に基づいて、前記自移動通信システム及び前記他の移動通信システムからのレベル測定用チャネルの受信レベルを測定し、
前記測定した受信レベルを、前記自移動通信システムへ通知するようにした共用移動通信システムにおける受信レベル測定方法。
【請求項４】
請求項３に記載の共用移動通信システムにおける受信レベル測定方法において、
前記各移動通信システムは、
前記他の移動通信システムによって構成されるセルのうち、前記自移動通信システムが提供する移動通信サービスを利用している移動端末の位置又はその周辺を領域内に含むセルに対応するレベル測定用チャネルを把握し、
前記把握したレベル測定用チャネルに関する情報をレベル測定用チャネル情報に包含して通知するようにした共用移動通信システムにおける受信レベル測定方法。
【発明の詳細な説明】
【０００１】
【発明の属する技術分野】
本発明は、複数の移動通信システムによって提供される移動通信サービスが移動端末によって利用される共用移動通信システム及び該共用移動通信システムにおける受信レベル測定方法に関する。
【０００２】
【従来の技術】
小ゾーン構成移動通信システムの代表的な例としては、現在日本で商用サービスが提供されているデジタル携帯電話方式（ＰＤＣ：Personal Digital Cellular ）の８００ＭＨｚ帯域システムと１．５ＧＨｚ帯域システムとがある。
【０００３】
単体の移動端末によって、これら８００ＭＨｚ帯域システムによる通信サービスと１．５ＧＨｚ帯域システムによる通信サービスとの双方を利用可能とする共用方式が考えられる。この共用方式を実現する場合、移動端末は、通信開始時やチャネル切替時において、ネットワークからの下り信号の受信レベルを測定する際、現在待ち受け中あるいは通信中のシステム（利用中のシステム）からの下り信号の受信レベルのみを測定し、その値をネットワークへ通知していた。
【０００４】
【発明が解決しようとする課題】
ところで、移動端末が利用中のシステムにおいて、利用可能な通信チャネルが存在しなかった場合、当該利用中のシステムは、移動端末に対して、他のシステムからの下り信号の受信レベルの測定を要求する。この測定要求には、他のシステムからの下り信号の周波数等の情報が含まれる。そして、移動端末は、この要求に含まれる周波数等の情報に基づいて、他のシステムからの下り信号の受信レベルを測定し、その値を利用中のシステムへ通知する。このため、移動端末の接続先が利用中のシステムから他のシステムへ切り替えられる際に、接続遅延が生じる可能性がある。
【０００５】
本発明は、上記問題点を解決するものであり、その目的は、移動端末の接続先が利用中のシステムから他のシステムへ切り替わる際における接続遅延を軽減した共用移動通信システム及び該共用移動通信システムにおける受信レベル測定方法を提供することにある。
【０００６】
【課題を解決するための手段】
上記の目的を達成するため、本発明は請求項１に記載されるように、複数の移動通信システムによって提供される移動通信サービスが移動端末によって利用される共用移動通信システムにおいて、前記各移動通信システムは、移動端末の接続先である自移動通信システムが提供する移動通信サービスを利用している前記移動端末に対して、レベル測定用チャネル情報を通知するレベル測定用チャネル情報通知手段と、前記自移動通信システムにおいて利用可能な通信チャネルがない場合に、前記移動端末から通知されるレベル測定用チャネルの受信レベルのうち、他の移動通信システムからのレベル測定用チャネルの受信レベルを該他の移動通信システムへ通知する受信レベル通知手段とを備え、前記他の移動通信システムは、前記自移動通信システムから通知される当該他の移動通信システムのレベル測定用チャネルの受信レベルに基づいて、通信チャネルが空いているか否かを判定し、前記移動端末に対して通信チャネルを割り当てる通信チャネル割当手段を備え、前記移動端末は、前記自移動通信システムから通知される前記レベル測定用チャネル情報に基づいて、前記自移動通信システム及び前記他の移動通信システムからのレベル測定用チャネルの受信レベルを測定する受信レベル測定手段と、前記受信レベル測定手段により測定された受信レベルを、前記自移動通信システムへ通知する測定結果通知手段とを備える。
【０００７】
このような共用移動通信システムでは、移動端末は、接続先を利用中の移動通信システムから他の移動通信システムに切り替える必要が生じる前に、利用中の移動通信システムから通知されるレベル測定用チャネル情報に基づいて、利用中の移動通信システム及び他の移動通信システムからのレベル測定用チャネルの受信レベルの双方を測定し、通知することができるため、接続先を利用中の移動通信システムから他の移動通信システムへ切り替える必要が生じた際に、利用中の移動通信システムから通知される他の移動通信システムからのレベル測定用チャネルの受信レベルの測定要求を待って、この測定要求に含まれる周波数等の情報に基づいて、他の移動通信システムからのレベル測定用チャネルの受信レベルの測定を行うという従来の手順よりも、利用中の移動通信システムから他の移動通信システムへ切り替わるまでの接続遅延を軽減することができる。
【００１０】
このようにして、通信チャネルの割り当てが行われることにより、移動端末に対して適切に通信チャネルを割り当てることが可能となる。
【００１１】
また、本発明は請求項２に記載されるように、前記共用移動通信システムにおいて、前記各移動通信システムは、前記他の移動通信システムによって構成されるセルのうち、前記自移動通信システムが提供する移動通信サービスを利用している移動端末の位置又はその周辺を領域内に含むセルに対応するレベル測定用チャネルを把握するレベル測定用受信チャネル把握手段を備え、前記レベル測定用チャネル情報通知手段は、前記把握されたレベル測定用チャネルに関する情報をレベル測定用チャネル情報に包含して通知するようにした。
【００１２】
他の移動通信システムに対応するレベル測定用チャネルのうち、移動端末によって測定可能なレベル測定用チャネルは、移動端末の位置又はその周辺を領域内に含むセルに対応するレベル測定用チャネルである。従って、移動端末の位置又はその周辺を領域内に含むセルに対応するレベル測定用チャネルに関する情報のみをレベル測定用チャネル情報に包含することにより、レベル測定用チャネルに関する情報を必要最低限に削減することができ、レベル測定用チャネル情報の情報量を削減するとともに、移動端末に割り当てるレベル測定用チャネルの選択が容易になる。
【００１３】
また、上記の目的を達成するため、本発明は請求項３に記載されるように、複数の移動通信システムによって提供される移動通信サービスが移動端末によって利用される共用移動通信システムにおける受信レベル測定方法において、前記各移動通信システムは、移動端末の接続先である自移動通信システムが提供する移動通信サービスを利用している前記移動端末に対して、レベル測定用チャネル情報を通知し、前記自移動通信システムにおいて利用可能な通信チャネルがない場合に、前記移動端末から通知されるレベル測定用チャネルの受信レベルのうち、他の移動通信システムからのレベル測定用チャネルの受信レベルを該他の移動通信システムへ通知し、前記他の移動通信システムは、前記自移動通信システムから通知される当該他の移動通信システムのレベル測定用チャネルの受信レベルに基づいて、通信チャネルが空いているか否かを判定し、前記移動端末に対して通信チャネルを割り当て、前記移動端末は、前記自移動通信システムから前記レベル測定用チャネル情報に基づいて、前記自移動通信システム及び前記他の移動通信システムからのレベル測定用チャネルの受信レベルを測定し、前記測定した受信レベルを、前記自移動通信システムへ通知するようにした。
【００１６】
また、本発明は請求項４に記載されるように、前記共用移動通信システムにおける受信レベル測定方法において、前記各移動通信システムは、前記他の移動通信システムによって構成されるセルのうち、前記自移動通信システムが提供する移動通信サービスを利用している移動端末の位置又はその周辺を領域内に含むセルに対応するレベル測定用チャネルを把握し、前記把握したレベル測定用チャネルに関する情報をレベル測定用チャネル情報に包含して通知するようにした。
【００１７】
【発明の実施の形態】
以下、本発明の実施の形態を図面に基づいて説明する。図１は、本発明の実施の形態に係る共用移動通信システムの構成例を示す図である。同図に示す共用移動通信システム１は、関門交換機１０、第１の移動通信システム１００、第２の移動通信システム２００、第１の移動通信システム１００が提供する移動通信サービスを利用する移動端末３００を備える。
【００１８】
このうち、第１の移動通信システム１００は、例えばデジタル携帯電話方式の８００ＭＨｚ帯域システムであり、交換機１１０、無線回線制御装置１２０−１、１２０−２（以下、これら無線回線制御装置１２０−１、１２０−２をまとめて適宜「無線回線制御装置１２０」と称する）、基地局１３０−１、１３０−２、１３０−３（以下、これら基地局１３０−１、１３０−２、１３０−３をまとめて適宜「基地局１３０」と称する）を備える。
【００１９】
交換機１１０は、関門交換機１０に接続され、無線回線制御装置１２０−１、１２０−２は、交換機１１０に接続される。また、基地局１３０−１、１３０−２、１３０−３は、無線回線制御装置１２０−２に接続される。なお、無線回線制御装置１２０−１にも基地局が接続されているが、図１では省略されている。
【００２０】
一方、第２の移動通信システム２００は、例えばデジタル携帯電話方式の１．５ＧＨｚ帯域システムであり、交換機２１０、無線回線制御装置２２０−１、２２０−２（以下、これら無線回線制御装置２２０−１、２２０−２をまとめて適宜「無線回線制御装置２２０」と称する）、基地局２３０−１、２３０−２、２３０−３（以下、これら基地局２３０−１、２３０−２、２３０−３をまとめて適宜「基地局２３０」と称する）を備える。
【００２１】
交換機２１０は、関門交換機１０に接続され、無線回線制御装置２２０−１、２２０−２は、交換機２１０に接続される。また、基地局２３０−１、２３０−２、２３０−３は、無線回線制御装置２２０−２に接続される。なお、無線回線制御装置２２０−１にも基地局が接続されているが、図１では省略されている。
【００２２】
この共用移動通信システム１では、第１の移動通信システム１００は、レベル測定用チャネル情報を通知し、移動端末３００は、このレベル測定用チャネル情報に基づいて、第１の移動通信システム１００及び第２の移動通信システム２００からのレベル測定用チャネルの受信レベルを測定して、通信開始時やチャネル切替時に、これらの双方を第１の移動通信システム１００へ通知する。そして、第１の移動通信システム１００は、自システムに割り当て可能な通信チャネルがない場合に、第２の移動通信システム２００へ移動端末３００から通知される該第２の移動通信システム２００からのレベル測定用チャネルの受信レベルを通知し、第２の移動通信システム２００は、この受信レベルに基づいて、移動端末３００に対して通信チャネルを割り当てる。これにより、移動端末３００の接続先が第１の移動通信システム１００から第２の移動通信システム２００へ切り替わる。
【００２３】
図２は、無線回線制御装置１２０の構成例を示す図である。同図に示すように無線回線制御装置１２０は、送受信部１２１、１２２、信号解析部１２３、制御部１２４、情報管理部１２５を備える。なお、無線回線制御装置２２０も同様の構成を有する。
【００２４】
送受信部１２１は、配下の基地局１３０との間で信号の送受信を行う。送受信部１２２は、交換機１１０との間で信号の送受信を行う。信号解析部１２３は、送受信部１２１、１２２によって受信された信号の解析を行う。制御部１２４は、信号送信時の制御を行う。情報管理部１２５は、レベル測定用チャネル情報と、第１の移動通信システム１００及び第２の移動通信システム２００の位置関係に関する情報を管理する。
【００２５】
図３は、移動端末３００の構成例を示す図である。同図に示すように移動端末３００は、無線部３０１、信号解析部３０２、制御部３０３、記憶部３０４を備える。
【００２６】
無線部３０１は、基地局１３０との間で信号の送受信を行う。信号解析部３０２は、無線部３０１によって受信された信号の解析を行う。制御部３０３は、信号送信時の制御を行う。記憶部３０４は、レベル測定すべきレベル測定用受信チャネル情報と受信レベルの測定結果とを記憶する。
【００２７】
以下、移動端末３００の接続先が第１の移動通信システム１００から第２の移動通信システム２００へ切り替わる際の共用移動通信システム１の各部の処理を説明する。
【００２８】
第１の移動通信システム１００に構成される無線回線制御装置１２０内の制御部１２４は、あらかじめ第２の移動通信システム２００に構成される基地局２３０によって構成されるセルの領域に関する情報と、当該基地局２３０から送信されるレベル測定用チャネルの周波数等を含むレベル測定用チャネル情報とを、対応付けて情報管理部１２５へ格納する。
【００２９】
あるいは、第２の移動通信システム２００に構成される無線回線制御装置２２０内の制御部１２４は、配下の基地局２３０によって構成されるセルの領域に関する情報と、当該配下の基地局２３０から送信されるレベル測定用チャネルの周波数等を含むレベル測定用チャネル情報とを、第１の移動通信システム１００に構成される無線回線制御装置１２０へ通知する。無線回線制御装置１２０内の制御部１２４は、通知されるこれらの情報を対応付けて情報管理部１２５へ格納する。
【００３０】
無線回線制御装置１２０内の制御部１２４は、情報管理部１２５に格納された基地局２３０によって構成されるセルの領域に関する情報に基づいて、基地局２３０によって構成されるセルのうち、移動端末３００の位置又はその周辺を領域内に含むセルを把握し、そのセルを構成する基地局２３０から送信されるレベル測定用チャネルについてのレベル測定用チャネル情報を把握する。
【００３１】
例えば、無線回線制御装置１２０内の制御部１２４は、基地局２３０によって構成されるセルのうち、移動端末３００が接続されている基地局１３０によって構成されるセルと重複する領域を有するセルを移動端末３００の位置又はその周辺を領域内に含むセルとして把握し、そのセルを構成する基地局２３０から送信されるレベル測定用チャネルについてのレベル測定用チャネル情報を把握する。
【００３２】
次に、無線回線制御装置１２０内の制御部１２４は、把握したレベル測定用チャネル情報を移動端末３００に対して、当該移動端末３００が待ち受け中の場合には報知情報により通知し、当該移動端末３００が通信中の場合には、通信チャネル確立時のシステム情報により通知する。
【００３３】
移動端末３００内の制御部３０３は、通知されたレベル測定用チャネル情報を記憶部３０４に格納する。そして、移動端末３００内の制御部３０３は、この格納したレベル測定用チャネル情報に基づいて、第２の移動通信システム２００に構成される基地局２３０のうち、自端末の位置又はその周辺を領域内に含むセルを構成する基地局２３０からのレベル測定用チャネルの周波数等を把握し、所定のタイミング、例えば所定時間毎に、第１の移動通信システム１００に構成される基地局１３０のレベル測定用チャネルの受信レベルを測定するとともに、自端末の位置又はその周辺を領域内に含むセルを構成する基地局２３０からのレベル測定用チャネルの受信レベルを測定する。レベル測定結果は記憶部３０４に格納されるとともに、通信開始時やチャネル切替時において、発信要求又はチャネル切替要求とともに無線回線制御装置１２０へ通知される。
【００３４】
無線回線制御装置１２０内の制御部１２４は、移動端末３００から通知される発信要求又はチャネル切替要求とレベル測定結果とを受信すると、レベル測定結果に基づいて、移動端末３００の位置を領域内に含むセルを構成する基地局１３０に対応する通信チャネルが空いているか否か（通信チャネルの有無）を判定する。
【００３５】
基地局１３０に対応する空き通信チャネルがある場合には、無線回線制御装置１２０内の制御部１２４は、当該空き通信チャネルについて、移動端末３００における受信レベルの高い順に選択して割り当てを試みる。そして、無線回線制御装置１２０内の制御部１２４は、割り当てができた段階で一連の処理を終了する。
【００３６】
一方、基地局１３０に対応する空き通信チャネルがない場合には、無線回線制御装置１２０内の制御部１２４は、移動端末３００の位置又はその周辺を領域内に含むセルを構成する基地局２３０からのレベル測定用チャネルの受信レベルの測定結果（以下「基地局２３０に対応するレベル測定結果」と称する）のうち、受信レベルが最も高いものを、移動端末３００を識別するための移動端末情報（例えば電話番号）とともに、その受信レベルが最も高いレベル測定用チャネルの送信元である基地局２３０を配下とする無線回線制御装置２２０に対して通知する。
【００３７】
無線回線制御装置２２０内の制御部１２４は、無線回線制御装置１２０から通知される移動端末３００の移動端末情報と、基地局２３０に対応するレベル測定結果とを受信すると、その基地局２３０に対応する通信チャネルが空いているか否か（通信チャネルの有無）を判定する。
【００３８】
基地局２３０に対応する空き通信チャネルがある場合には、無線回線制御装置２２０内の制御部１２４は、その通信チャネルを割り当て対象として選択し、通信チャネルを選択した旨の応答であるチャネル選択応答を基地局２３０に対応するレベル測定結果の送信元の無線回線制御装置１２０へ通知する。このチャネル選択応答は、利用可能な通信チャネルがある旨の情報と、その利用可能な通信チャネルのチャネル情報（周波数等）とが含まれる。
【００３９】
無線回線制御装置１２０内の制御部１２４は、このチャネル選択応答を受信すると、送信元の無線回線制御装置２２０に対して、チャネル設定要求を通知する。このチャネル設定要求によってチャネル割り当ての主導が第１の移動通信システム１００に構成される無線回線制御装置１２０から第２の移動通信システム２００に構成される無線回線制御装置２２０に移行する。
【００４０】
無線回線制御装置２２０内の制御部１２４は、チャネル設定要求を受信すると、選択した通信チャネルに対応する基地局２３０に対して無線回線起動要求を送信する。この無線回線起動要求を受信した基地局２３０は、電波送信を開始するとともに、無線回線起動応答を無線回線制御装置２２０へ返す。
【００４１】
無線回線制御装置２２０内の制御部１２４は、無線回線起動応答を受信すると、無線回線制御装置１２０から通知された移動端末情報により特定される移動端末３００に対して、チャネル指定を通知する。このチャネル指定には、基地局２３０が送信を開始した電波の周波数等の情報が含まれる。
【００４２】
チャネル指定を受信した移動端末３００は、所定の同期確立動作を行う。これにより、第２の移動通信システム２００による移動端末３００に対する通信チャネルの割り当てが終了し、移動端末３００の接続先が第１の移動通信システム１００から第２の移動通信システム２００へ切り替わる。
【００４３】
一方、基地局２３０に対応する空き通信チャネルがない場合には、無線回線制御装置２２０内の制御部１２４は、その旨を基地局２３０に対応するレベル測定結果の送信元の無線回線制御装置１２０へ通知する。
【００４４】
以下、第２の移動通信システム２００による移動端末３００に対する通信チャネルの割り当てが終了するまで、上述とほぼ同様の処理が無線回線制御装置１２０内の制御部１２４と無線回線制御装置２２０内の制御部１２４によって繰り返される。
【００４５】
すなわち、無線回線制御装置１２０内の制御部１２４は、基地局２３０に対応するレベル測定結果が複数ある場合には、基地局２３０に対応する空き通信チャネルがない旨が通知される毎に、これらレベル測定結果を受信レベルの高い順に１つずつ選択して、移動端末識別情報とともに、対応するレベル測定用チャネルの送信元である基地局２３０を配下とする無線回線制御装置２２０に対して通知する。
【００４６】
無線回線制御装置２２０内の制御部１２４は、無線回線制御装置１２０から通知される移動端末３００の移動端末情報と、基地局２３０に対応するレベル測定結果とを受信する毎に、その基地局２３０に対応する通信チャネルが空いているか否かを判定する。
【００４７】
基地局２３０に対応する空き通信チャネルがある場合には、無線回線制御装置２２０内の制御部１２４は、その空き通信チャネルを割り当て対象として選択し、チャネル選択応答を無線回線制御装置１２０へ通知する。無線回線制御装置１２０内の制御部１２４は、このチャネル選択応答を受信すると、送信元の無線回線制御装置２２０に対して、チャネル設定要求を通知する。そして、無線回線制御装置２２０内の制御部１２４は、チャネル設定要求を受信すると、選択した通信チャネルに対応する基地局２３０に対して無線回線起動要求を送信する。この無線回線起動要求を受信した基地局２３０は、電波送信を開始するとともに、無線回線起動応答を無線回線制御装置２２０へ返す。無線回線制御装置２２０内の制御部１２４は、無線回線起動応答を受信すると、無線回線制御装置１２０から通知された移動端末情報により特定される移動端末３００に対して、チャネル指定を通知する。そして、チャネル指定を受信した移動端末３００は、所定の同期確立動作を行う。
【００４８】
一方、基地局２３０に対応する空き通信チャネルがない場合には、無線回線制御装置２２０内の制御部１２４は、その旨を基地局２３０に対応するレベル測定結果の送信元の無線回線制御装置１２０へ通知する。
【００４９】
次に、図４のシーケンス図を参照しつつ、移動端末３００の接続先が第１の移動通信システム１００から第２の移動通信システム２００へ切り替わる際の共用移動通信システム１の動作を説明する。なお、以下においては、移動端末３００は、第１の移動通信システム１００内の基地局１３０−２、１３０−３によって構成されるセルと、第２の移動通信システム２００内の基地局２３０−１、２３０−２によって構成されるセルとが重複する領域内に存在し、基地局１３０−３からのレベル測定用チャネルの受信レベルの方が基地局１３０−２からのレベル測定用チャネルの受信レベルより高く、基地局２３０−１からのレベル測定用チャネルの受信レベルの方が基地局２３０−２からのレベル測定用チャネルの受信レベルより高い場合を例に挙げる。
【００５０】
移動端末３００は、あらかじめ無線回線制御装置１２０−２から通知されるレベル測定用チャネル情報に基づいて、基地局２３０−１、２３０−２から通知されるレベル測定用チャネルの周波数等を把握し、基地局１３０−２、基地局１３０−３のレベル測定用チャネルの受信レベルを測定するとともに、基地局２３０−１、２３０−２からのレベル測定用チャネルの受信レベルを測定する。次に、移動端末３００は、通信開始時において、これらのレベル測定結果を発信要求とともに、基地局１３０−３を介して無線回線制御装置１２０−２へ通知する（ステップ１０１）。
【００５１】
無線回線制御装置１２０−２は、移動端末３００から通知される発信要求とレベル測定結果とを受信すると、チャネル選択処理（ステップ１０２）を行い、レベル測定結果に基づいて、基地局１３０−３に対応する通信チャネルが空いているか否か（通信チャネルの有無）を判定し、空きチャネルがない場合には、更に基地局１３０−２に対応する通信チャネルが空いているか否かを判定する（ステップ１０３）。
【００５２】
基地局１３０−３、１３０−２の双方に対応する空き通信チャネルがない場合には、無線回線制御装置１２０−２は、受信したレベル測定結果のうち、基地局２３０−１からのレベル測定用チャネルの受信レベルの測定結果を、移動端末３００の移動端末情報とともに、基地局２３０を配下に有する無線回線制御装置２２０−１へ通知する（ステップ１０４）。これら移動端末３００の移動端末情報と基地局２３０−１からのレベル測定用チャネルの受信レベルの測定結果とは、チャネル選択要求として交換機１１０、関門交換機１０及び交換機２１０を介して無線回線制御装置２２０−１へ送られる。
【００５３】
無線回線制御装置２２０−１は、無線回線制御装置１２０−２から通知される移動端末３００の移動端末情報と、基地局２３０−１からのレベル測定用チャネルの受信レベルの測定結果とを受信すると、チャネル選択処理（ステップ１０５）を行い、基地局２３０−１からのレベル測定用チャネルの受信レベルの測定結果に基づいて、基地局２３０−１に対応する通信チャネルが空いているか否か（通信チャネルの有無）を判定する（ステップ１０６）。
【００５４】
基地局２３０−１に対応する空き通信チャネルがある場合には、無線回線制御装置２２０−１は、空き通信チャネルがある旨の情報と、その空き通信チャネルのチャネル情報（周波数等）とを含んだチャネル選択応答を、交換局２１０、関門交換機１０及び交換局１１０を介して無線回線制御装置１２０−２へ通知する（ステップ１０７）。
【００５５】
無線回線制御装置１２０−２は、このチャネル選択応答を受信すると、チャネル設定要求を、交換局１１０、関門交換機１０及び交換局２１０を介して無線回線制御装置２２０−１へ通知する（ステップ１０８）。このチャネル設定要求によってチャネル割り当ての主導が無線回線制御装置１２０−２から無線回線制御装置２２０−１に移行する。
【００５６】
無線回線制御装置２２０−１は、チャネル設定要求を受信すると、選択した通信チャネルに対応する基地局２３０−１に対して無線回線起動要求を送信する（ステップ１０９）。この無線回線起動要求を受信した基地局２３０−１は、電波送信を開始するとともに（ステップ１１０）、無線回線起動応答を無線回線制御装置２２０へ返す（ステップ１１１）。
【００５７】
無線回線制御装置２２０−１は、無線回線起動応答を受信すると、移動端末３００に対して、基地局２３０−１が送信を開始した電波の周波数情報を含んだチャネル指定を通知する（ステップ１１２）。
【００５８】
チャネル指定を受信した移動端末３００は、所定の同期確立動作を行う（ステップ１１３）。これにより、移動端末３００の接続先が基地局１３０−３から基地局２３０−１へ切り替わり、移動端末３００と第２の移動通信システム２００との間で通信が開始される（ステップ１１４）。
【００５９】
一方、ステップ１０６において、基地局２３０−１に対応する空き通信チャネルがないと判定された場合には、無線回線制御装置２２０−１は、その旨を無線回線制御装置１２０−２へ通知する。そして、無線回線制御装置２２０−１は、この通知に応じて無線回線制御装置１２０−２から通知される基地局２３０−１からのレベル測定用チャネルの受信レベルの測定結果に基づいて、基地局２３０−２に対応する通信チャネルが空いているか否か（通信チャネルの有無）を判定する（ステップ１０６）。
【００６０】
基地局２３０−２に対応する空き通信チャネルがある場合には、その通信チャネルを移動端末３００へ割り当てるべく、上述したステップ１０７からステップ１１４までと同様の動作が行われる。一方、基地局２３０−２に対応する空き通信チャネルがない場合には、無線回線制御装置２２０−１から無線回線制御装置１２０−２へその旨が通知され、一連の動作が終了する。
【００６１】
このように、共用移動通信システム１では、第１の移動通信システム１００はレベル測定用チャネル情報を通知し、移動端末３００は、このレベル測定用チャネル情報に基づいて、第１の移動通信システム１００及び第２の移動通信システム２００からのレベル測定用チャネルの受信レベルを測定して、通信開始時やチャネル切替時に、これらの双方を第１の移動通信システム１００へ通知する。そして、第１の移動通信システム１００は、自システムに割り当て可能な通信チャネルがない場合に、第２の移動通信システム２００へ移動端末３００から通知される該第２の移動通信システム２００からのレベル測定用チャネル情報の受信レベルを通知し、第２の移動通信システム２００は、この受信レベルに基づいて、移動端末３００に対して通信チャネルを割り当てる。これにより、移動端末３００の接続先が第１の移動通信システム１００から第２の移動通信システム２００へ切り替わる。
【００６２】
従って、移動端末３００は、接続先を利用中の第１の移動通信システム１００から第２の移動通信システム２００に切り替える必要が生じる前に、第１の移動通信システム１００から通知されるレベル測定用チャネル情報に基づいて、第１の移動通信システム１００及び第２の移動通信システム２００からのレベル測定用チャネルの受信レベルの双方を測定し、通知することができるため、当該移動端末３００の接続先が利用中の第１の移動通信システム１００から第２の移動通信システム２００へ切り替わる際における接続遅延を軽減することができる。
【００６３】
なお、上述した実施形態では、移動端末３００の接続先が第１の移動通信システム１００から第２の移動通信システム２００へ切り替わる場合について説明したが、反対に移動端末３００の接続先が第２の移動通信システム２００から第１の移動通信システム１００へ切り替わる場合についても、同様に本発明を適用することができる。この場合には、第２の移動通信システム２００内の各部が上述した実施形態における第１の移動通信システム１００内の各部と同様の処理を行い、第１の移動通信システム１００内の各部が上述した実施形態における第２の移動通信システム２００内の各部と同様の処理を行うようにすれば良い。
【００６４】
また、上述した実施形態では、共用移動通信システム１は、第１の移動通信システム１００と第２の移動通信システム２００とを有したが、３つ以上の移動通信システムを有する共用移動通信システムについても、同様に本発明を適用することができる。
【００６５】
上記実施形態において、無線回線制御装置２００内の制御部１２４がレベル測定用チャネル情報送信手段に対応し、移動端末３００内の制御部３０３が受信レベル測定手段、受信レベル通知手段、通信チャネル割当手段及びレベル測定用受信チャネル把握手段に対応し、移動端末３００内の制御部３０３が測定結果通知手段に対応する。
【００６６】
【発明の効果】
上述の如く、本願発明によれば、移動端末は、接続先を利用中の移動通信システムから他の移動通信システムに切り替える必要が生じる前に、利用中の移動通信システムから通知されるレベル測定用チャネル情報に基づいて、利用中の移動通信システム及び他の移動通信システムからのレベル測定用チャネルの受信レベルの双方を測定し、通知することができるため、接続先を利用中の移動通信システムから他の移動通信システムへ切り替える必要が生じた際に、利用中の移動通信システムから通知される他の移動通信システムからのレベル測定用チャネルの受信レベルの測定要求を待って、この測定要求に含まれる周波数等の情報に基づいて、他の移動通信システムからのレベル測定用チャネルの受信レベルの測定を行うという従来の手順よりも、利用中の移動通信システムから他の移動通信システムへ切り替わるまでの接続遅延を軽減することができる。
【図面の簡単な説明】
【図１】共用移動通信システムの構成例を示す図である。
【図２】無線回線制御装置の構成例を示す図である。
【図３】移動端末の構成例を示す図である。
【図４】共用移動通信システムの動作の一例を示すシーケンス図である。
【符号の説明】
１  共用移動通信システム
１００  第１の移動通信システム
１１０、２１０  交換機
１２０−１、１２０−２、２２０−１、２２０−２  無線回線制御装置
１２１、１２２  送受信部
１２３、３０２  信号解析部
１２４、３０３  制御部
１２５  情報管理部
１３０−１、１３０−２、１３０−３、２３０−１、２３０−２  基地局
２００  第２の移動通信システム
３００  移動端末
３０１  無線部
３０４  記憶部
【図１】
0004087588.tif 000002
【図２】
0004087588.tif 000003
【図３】
0004087588.tif 000004
【図４】
0004087588.tif 000005